(57)【要約】  本発明は、機械的エネルギーを供給する方法と装置１０に関する。この装置は機械的エネルギーを供給するモーター１１を含む。モーター１１は加熱する流体が入るチャンバー１７，１１７，２１７，３１７，４１７を有する。チャンバーに放射線を供給するためにレーザやメーザーのような増幅誘導放出放射線源３６，４３６を用いる。【選択図】図１
2015518545.tif 000002
【特許請求の範囲】
【請求項１】
加熱および／または燃焼および／または圧縮および／または膨張する流体が入る少なくとも一つのチャンバーを備え、機械的エネルギーを供給するモーター、および
前記チャンバーに放射線を供給する増幅誘導放出放射線源を含むことを特徴とする機械的エネルギー供給装置。
【請求項２】
前記放射線源がレーザを含むことを特徴とする、請求項１に記載の機械的エネルギー供給装置。
【請求項３】
前記放射線源がメーザー源（ｍａｓｅｒ  ｓｏｕｒｃｅ）を含むことを特徴とする、請求項１または２に記載の機械的エネルギー供給装置。
【請求項４】
前記放射線源の放射線によりチャンバー内部の流体を加熱することを特徴とする、請求項１〜３のいずれか１項に記載の機械的エネルギー供給装置。
【請求項５】
前記放射線源の放射線によりチャンバー内部の流体を予熱することを特徴とする、請求項１〜４のいずれか１項に記載の機械的エネルギー供給装置。
【請求項６】
前記放射線源の放射線によりチャンバーを加熱することを特徴とする、請求項１〜５のいずれか１項に記載の機械的エネルギー供給装置。
【請求項７】
始動前および／または始動時にチャンバーに放射線を放出することを特徴とする、請求項１〜６のいずれか１項に記載の機械的エネルギー供給装置。
【請求項８】
前記放射線源の放射線によりチャンバー内部の流体を点火することを特徴とする、請求項１〜７のいずれか１項に記載の機械的エネルギー供給装置。
【請求項９】
前記放射線源の放射線によりチャンバーを管理することを特徴とする、請求項１〜８のいずれか１項に記載の機械的エネルギー供給装置。
【請求項１０】
前記放射線源の放射線によりチャンバー表面をかいてチャンバーを清掃することを特徴とする、請求項９に記載の機械的エネルギー供給装置。
【請求項１１】
前記流体が不活性流体を含むことを特徴とする、請求項１〜１０のいずれか１項に記載の機械的エネルギー供給装置。
【請求項１２】
前記流体が水および／または蒸気を含むことを特徴とする、請求項１〜１１のいずれか１項に記載の機械的エネルギー供給装置。
【請求項１３】
前記流体が可燃性流体を含むことを特徴とする、請求項１〜１０のいずれか１項に記載の機械的エネルギー供給装置。
【請求項１４】
前記可燃性流体が水素を含むことを特徴とする、請求項１３に記載の機械的エネルギー供給装置。
【請求項１５】
前記モーターが内燃機関を含むことを特徴とする、請求項１〜１４のいずれか１項に記載の機械的エネルギー供給装置。
【請求項１６】
前記モーターが外燃機関を含むことを特徴とする、請求項１〜１５のいずれか１項に記載の機械的エネルギー供給装置。
【請求項１７】
前記モーターが一定期間チャンバーに増幅誘導放出放射線を供給することを特徴とする、請求項１〜１６のいずれか１項に記載の機械的エネルギー供給装置。
【請求項１８】
前記モーターがチャンバーサイクルの一定位相や段階でチャンバーに増幅誘導放出放射線を供給することを特徴とする、請求項１〜１７のいずれか１項に記載の機械的エネルギー供給装置。
【請求項１９】
前記モーターが、チャンバーを形成するシリンダーと、チャンバーの端部壁を形成するピストンとを含むことを特徴とする、請求項１〜１８のいずれか１項に記載の機械的エネルギー供給装置。
【請求項２０】
前記モーターが、ピストンが上死点を含む一定位置に達する時にチャンバーに増幅誘導放出放射線を供給することを特徴とする、請求項１９に記載の機械的エネルギー供給装置。
【請求項２１】
前記モーターが、ピストンが一定位置にある時に放射線源、放射線ガイドおよび／または放射線入口が作動するようにする制御システムを含むことを特徴とする、請求項１〜２０のいずれか１項に記載の機械的エネルギー供給装置。
【請求項２２】
前記放射線が流体を加熱する波長を有することを特徴とする、請求項１〜２１のいずれか１項に記載の機械的エネルギー供給装置。
【請求項２３】
前記放射線がチャンバーを清掃する波長を有することを特徴とする、請求項１〜２２のいずれか１項に記載の機械的エネルギー供給装置。
【請求項２４】
前記放射線が複数の波長を有することを特徴とする、請求項１〜２３のいずれか１項に記載の機械的エネルギー供給装置。
【請求項２５】
第１波長の放射線は第２波長の放射線より流体により容易に吸収され、第１波長の放射線はチャンバーの第１位置において流体を加熱するのに用いられ、第２波長の放射線はチャンバーの第２位置において流体を加熱するのに用いられることを特徴とする、請求項２４に記載の機械的エネルギー供給装置。
【請求項２６】
前記放射線が拡散することを特徴とする、請求項１〜２５のいずれか１項に記載の機械的エネルギー供給装置。
【請求項２７】
前記放射線がパルス型放射線および／またはスキャン型放射線を含むことを特徴とする、請求項１〜２６のいずれか１項に記載の機械的エネルギー供給装置。
【請求項２８】
前記モーターが放射線源を含むことを特徴とする、請求項１〜２７のいずれか１項に記載の機械的エネルギー供給装置。
【請求項２９】
前記放射線源がモーターから離れていることを特徴とする、請求項１〜２７のいずれか１項に記載の機械的エネルギー供給装置。
【請求項３０】
前記モーターが複数のチャンバーを有し、各々のチャンバーが離散放射線源を有することを特徴とする、請求項１〜２９のいずれか１項に記載の機械的エネルギー供給装置。
【請求項３１】
前記モーターが複数のチャンバーを有し、１つの放射線源から複数のチャンバーに放射線を供給することを特徴とする、請求項１〜２９のいずれか１項に記載の機械的エネルギー供給装置。
【請求項３２】
前記モーターが水素バーナーを含むことを特徴とする、請求項１〜３１のいずれか１項に記載の機械的エネルギー供給装置。
【請求項３３】
前記モーターが外部燃焼室からチャンバーに排気流体を供給することを特徴とする、請求項１〜３２のいずれか１項に記載の機械的エネルギー供給装置。
【請求項３４】
前記モーターが流体を循環させることを特徴とする、請求項１〜３３のいずれか１項に記載の機械的エネルギー供給装置。
【請求項３５】
前記メーザー源が水素メーザーを含むことを特徴とする、第３項の従属項のうちいずれか１項に記載の機械的エネルギー供給装置。
【請求項３６】
前記モーターがチャンバー全体に放射線を分散させることを特徴とする、請求項１〜３５のいずれか１項に記載の機械的エネルギー供給装置。
【請求項３７】
前記モーターが放射線を均一に分散させることを特徴とする、請求項３６に記載の機械的エネルギー供給装置。
【請求項３８】
前記モーターが放射線を集中させることを特徴とする、請求項３６に記載の機械的エネルギー供給装置。
【請求項３９】
前記モーターがチャンバー内の流体の分布度に応じてチャンバー内で放射線を分散させることを特徴とする、請求項１〜３８のいずれか１項に記載の機械的エネルギー供給装置。
【請求項４０】
前記モーターがチャンバー内の色々な部分の流体を順に加熱することを特徴とする、請求項１〜３９のいずれか１項に記載の機械的エネルギー供給装置。
【請求項４１】
前記モーターがチャンバー内の流体の変化に応じてチャンバー内部の流体を加熱することを特徴とする、請求項１〜４０のいずれか１項に記載の機械的エネルギー供給装置。
【請求項４２】
増幅誘導放出放射線源からモーターのチャンバーに放射線を供給するステップ、
チャンバー内の流体を前記放射線により加熱、点火および／または圧縮するステップ、および／または
前記放射線によりチャンバーを加熱および／または管理するステップを含むことを特徴とする機械的エネルギー供給方法。
【請求項４３】
機械的エネルギーを供給するモーターチャンバーであって、
加熱および／または燃焼および／または圧縮および／または膨張する流体を前記チャンバーに収容し、前記チャンバーが増幅誘導放出放射線源から放射線を分散させて前記流体を加熱、燃焼および／または圧縮すること、および／またはチャンバーを加熱することを特徴とするモーターチャンバー。
【請求項４４】
前記チャンバー全体に放射線が分散することを特徴とする、請求項４３に記載のモーターチャンバー。
【請求項４５】
前記チャンバーが放射線を集中することを特徴とする、請求項４３または４４に記載のモーターチャンバー。
【請求項４６】
前記チャンバーの色々な部分の流体を順に加熱することを特徴とする、請求項４３〜４５のいずれか１項に記載のモーターチャンバー。
【請求項４７】
前記チャンバーの色々な部分の流体を漸進的に加熱することを特徴とする、請求項４３〜４６のいずれか１項に記載のモーターチャンバー。
【請求項４８】
前記チャンバー内の流体量の変化に応じてチャンバー内の流体を加熱することを特徴とする、請求項４３〜４７のいずれか１項に記載のモーターチャンバー。
【請求項４９】
前記チャンバーが凹面を有することを特徴とする、請求項４３〜４８のいずれか１項に記載のモーターチャンバー。
【請求項５０】
前記チャンバーが凸面を有することを特徴とする、請求項４３〜４９のいずれか１項に記載のモーターチャンバー。
【請求項５１】
前記チャンバーが可動式壁を有し、該可動式壁がチャンバーの縦軸線に対して軸方向および／または放射状および／または回転方向に非対称形態を有することを特徴とする、請求項４３〜５０のいずれか１項に記載のモーターチャンバー。
【請求項５２】
前記チャンバーが反射面を有することを特徴とする、請求項４３〜５１のいずれか１項に記載のモーターチャンバー。
【請求項５３】
前記チャンバーが放射線を反射する鏡を有することを特徴とする、請求項５２に記載のモーターチャンバー。
【請求項５４】
前記チャンバーが屈曲面を有することを特徴とする、請求項４３〜５３のいずれか１項に記載のモーターチャンバー。
【請求項５５】
前記屈曲面の大きさおよび／またはピッチが放射線波長に応じて構成され、屈曲面のピッチおよび／または大きさが放射線波長より大きいか、類似するか小さいことを特徴とする、請求項５４に記載のモーターチャンバー。
【請求項５６】
前記屈曲面の大きさおよび／またはピッチが放射線の直径および／または幅に応じて構成されることを特徴とする、請求項５４または５５に記載のモーターチャンバー。
【請求項５７】
放射線がチャンバーの表面全体に達してチャンバーの表面をかくことを特徴とする、請求項４３〜５６のいずれか１項に記載のモーターチャンバー。
【請求項５８】
チャンバーの表面に均一に放射線が達することを特徴とする、請求項４３〜５７のいずれか１項に記載のモーターチャンバー。
【請求項５９】
前記チャンバーの大きさがマイクロ範囲であることを特徴とする、請求項４３〜５８のいずれか１項に記載のモーターチャンバー。
【請求項６０】
前記チャンバーの大きさがナノ範囲であることを特徴とする、請求項４３〜５８のいずれか１項に記載のモーターチャンバー。
【発明の詳細な説明】
【技術分野】
【０００１】
本発明は改善されたエネルギー変換および関連装置に関し、特に改善されたモーターに関する。
【背景技術】
【０００２】
現在に用いられる大半のエンジンは往復ピストン型内燃機関である。内燃機関は密閉されたチャンバー内でスパークにより混合燃料を点火して作動する。内燃機関の動力は燃料の燃焼によって生じられ、制限された空間内での４行程のうち１行程中にのみ生成される。
【０００３】
内燃機関は信頼性はあってもエネルギー効率は低く、製造費は高く、深刻な環境汚染をもたらす。益々厳格になる放出規制のために触媒変換器、高圧注入システム、合成潤滑油、高度に精製された原油ベースの燃料のような革新が必要であるが、これらは全て製造費と運営費に追加される。
【０００４】
外燃機関は内燃機関とは異なるように作動し、燃料混合物の燃焼が動力生産チャンバーとは別個の自体の燃焼室内で連続して引き起こる。燃焼室から動力生産／作動チャンバーへのエネルギー伝達は熱交換器を介して作動流体によって行われる。
【０００５】
外燃機関は内燃機関より毒性物の放出が少なく、燃料効率が最適化し、精製された燃料をより少なめに使っており、燃料費を節減する。関連の爆発がないため、外燃機関は内燃機関より静かである。
【０００６】
しかし、外燃機関はオイルの劣化、熱交換器の汚染、高摩擦、高体積／重量／費用、低熱交換効率などの問題がある。
【発明の概要】
【０００７】
本発明によれば、加熱したり燃焼したり圧縮したり膨張したりする流体が入るチャンバーを備え、機械的エネルギーを供給するモーター、およびチャンバーに放射線を供給する増幅誘導放出放射線源を含む機械的エネルギー供給装置を提供する。
【０００８】
放射線をチャンバーに供給して流体を加熱する。この装置は増幅誘導放出放射線源の放射線によりチャンバー内の流体を加熱する。
【０００９】
増幅誘導放出放射線源の放射線によりチャンバー内部の流体を予熱したりもする。この装置は増幅誘導放出放射線源の放射線によりチャンバー内の流体を予熱する。例えば、この装置は流体を点火する前に増幅誘導放出放射線源の放射線によりチャンバー内の流体を予熱しても良い。
【００１０】
放射線をチャンバーに供給してチャンバーを加熱することができる。この装置は増幅誘導放出放射線源の放射線によりチャンバーを加熱し、例えば、モーターが停止していて冷却された時、モーターを始動する前および／または始動中および／または始動した直後にチャンバーに放射線を供給してチャンバーやその内部の流体を作動温度に高めることができる。この装置は始動前および／または始動時にチャンバーに放射線を供給する。
【００１１】
放射線をチャンバーに供給して流体を点火することもできる。この装置は増幅誘導放出放射線源の放射線によりチャンバー内部の流体を点火しても良い。
【００１２】
放射線をチャンバーに供給してチャンバーを管理することができる。この装置は増幅誘導放出放射線源の放射線によりチャンバーを管理しても良く、例えば、放射線によりチャンバー表面をかいてチャンバーを清掃しても良い。
【００１３】
流体は不活性流体、水または蒸気を含み、蒸気は飽和蒸気や湿っぽい蒸気を含んでも良い。
【００１４】
流体は水素のような可燃性流体を含んでも良い。
【００１５】
モーターは内燃機関と外燃機関を含む。モーターはピストンを用いてチャンバー内の流体を圧縮する。
【００１６】
モーターはチャンバーを形成するシリンダーを含み、ピストンがチャンバーの端部壁を形成しても良い。
【００１７】
モーターは一定期間チャンバーに放射線を供給できるか、チャンバーサイクルの一定位相や段階でチャンバーに放射線を供給できる。例えば、チャンバーがピストンで作動するシリンダーチャンバーである場合、ピストンが上死点のような一定位置に達する時にチャンバーに放射線を提供する。モーターはピストンが一定位置にある時に放射線源、放射線ガイドおよび／または放射線入口が作動するようにする制御システム（例；スイッチやタイマーや電子制御器）を含んでも良い。
【００１８】
放射線は流体を加熱する波長を有しており、例えば、流体が蒸気の場合に波長は１０００ｎｍ程度である。
【００１９】
放射線はチャンバーを清掃する波長を有しても良く、例えば、チャンバー表面に吸収深さの低いレーザ放射線を照らしても良い。
【００２０】
放射線源はチャンバーの表面特性に合う波長の放射線を供給しても良い。
【００２１】
放射線が複数の波長を有して色々な吸収率を有するようにしても良い。よって、チャンバーでの放射線の経路に沿って色々な波長の放射線を照射してその強度を放射線の経路ごとに異なるようにしても良い。例えば、第１波長の放射線は第２波長の放射線より流体により容易に吸収され、第１波長の放射線はチャンバーの第１位置において流体を加熱するのに用いられ、第２波長の放射線はチャンバーの第２位置において流体を加熱するのに用いられるようにする。第１位置は放射線の経路の第１区間に該当し、第２位置は放射線の経路の第２区間に該当する。
【００２２】
放射線は拡散するか、単一螺旋状モードであるか、多重螺旋状モードであっても良く、パルス型放射線やスキャン型放射線を含む。例えば、この装置がチャンバーにスキャン型放射線を供給し、放射状や円周状や螺旋状に放射線をスキャンしても良い。
【００２３】
モーターが放射線源を含み、放射線源がモーターから離れていても良い。モーターがビームスプリッタや放射線ガイドを含んでも良い。
【００２４】
モーターが複数のチャンバーを有し、各々のチャンバーが離散放射線源を有しても良く、この時、１つの放射線源から複数のチャンバーに放射線を同時にまたは順次に供給しても良い。例えば、モーターがチャンバーの状態に応じて１つの放射線源から各々のチャンバーに選択的にまたは順次に放射線をガイドするか、複数のチャンバー内の流体を同時に加熱しても良い。
【００２５】
モーターが水素バーナーのような外部燃焼室を有し、外部燃焼室からチャンバーに排気流体を供給しても良い。例えば、モーターが吸気ポンプや吸気ファンのような吸気手段を有し、流体をチャンバー吸気口に供給しても良い。
【００２６】
モーターが（加熱性）流体を循環させても良い。モーターは排気ポンプや排気ファンのような排気手段を用いて排気流体をチャンバー排気口から排出しても良い。
【００２７】
モーターはチャンバー排気流体を吸気口に向かって循環させても良い。
【００２８】
内燃機関および／または外燃機関のエネルギー（例；熱）を用いてチャンバーに供給された流体を加熱および／または加圧しても良い。
【００２９】
使用中に水素バーナーに水素を供給して蒸気を生成しても良い。この蒸気は吸気ファンによって吸気口を通してチャンバーに供給される。チャンバーは往復ピストンによって圧縮されたり収縮されたりする。放射線源が作動してチャンバーに放射線を供給しても良い。チャンバー内の放射線は蒸気を加熱する。チャンバー内の蒸気圧が上昇すれば、ピストンが往復運動して下降する。よって、ピストンによって機械的な仕事が発生する。例えば、ピストンがクランク軸に連結され、クランク軸はピストンの運動によって回転する。
【００３０】
メーザー源が水素メーザーを含んでも良い。
【００３１】
増幅誘導放出放射線源はバッテリーや発電機により作動しても良い。内燃機関および／または外燃機関のエネルギーを用いて増幅誘導放出放射線源に動力を供給しても良い。
【００３２】
モーターはチャンバーから放射線を均一に分散させるか、チャンバー内の一定領域や空間に集中することができ、特にチャンバー内の流体の分布度に応じてチャンバー内で放射線を分散させても良い。
【００３３】
モーターはチャンバー内の流体を均一に加熱するか、チャンバー内の色々な部分の流体を順に、漸進的に、螺旋状に、拡散形態にまたは集中的に加熱しても良い。
【００３４】
モーターはチャンバー内の流体量の変化に応じて流体を加熱することができ、例えば、第１ステップ（例；ピストンによる圧縮ステップ）ではチャンバーの第１部分の流体を加熱し、ピストンが上死点にあるかチャンバーが最小体積である時の第２ステップの間にはチャンバーの第２部分の流体を加熱しても良い。
【００３５】
モーターは、フィルタを用いて、チャンバーに入る時や以前にまたはチャンバーを出る時や出た後に流体を濾過しても良い。
【００３６】
モーターは、（可燃性）流体を受け入れる入口と、（可燃性流体および／または不燃性流体および／または燃焼生成物のような）流体を排出する出口（例；排気バルブ）とを有しても良い。
【００３７】
モーターは停止した時にチャンバーから流体を排出し、このためにチャンバー内での流体凝縮が防止される。
【００３８】
モーターは始動時にチャンバーおよび／または流体を加熱して、モーターの停止中に発生する温度および／または圧力の降下を補うことができる。
【００３９】
本発明は機械的エネルギーを供給する方法も提供しており、この方法は増幅誘導放出放射線源からモーターのチャンバーに放射線を供給するステップ、チャンバー内の流体を前記放射線により加熱、点火および／または圧縮するステップ、および／または前記放射線によりチャンバーを加熱および／または管理するステップを含む。
【００４０】
本発明は、機械的エネルギーを供給するモーターチャンバーも提供しており、加熱および／または燃焼および／または圧縮および／または膨張する流体を前記チャンバーに収容し、チャンバーが増幅誘導放出放射線源から放射線（例；レーザやメーザー）を分散させて前記流体を加熱、燃焼および／または圧縮する、および／またはチャンバーを加熱する。
【００４１】
チャンバーはチャンバー全体に放射線が分散するように構成され、特に均一に分散するようにまたはチャンバー内の流体分布に応じて分散するように構成される。チャンバーが放射線を集中し、チャンバー内の一定領域や空間に集中するように構成されても良い。
【００４２】
チャンバーは流体を加熱し、均一に加熱するように構成されても良い。チャンバーはシリンダーで形成されるか、シリンダーとピストンで形成される。
【００４３】
チャンバーは少なくとも１つの側壁と端部壁を有しても良い。チャンバーはピストンヘッドのような可動壁を有しても良い。
【００４４】
チャンバーは吸気口と排気口を有しても良い。吸気口や排気口は制御システムによってチャンバーと通じるように構成され、制御システムはピストンの位置および／またはチャンバー内の流体の加熱ステップを制御する。
【００４５】
チャンバーはチャンバー内の色々な部分の位置を順次に、漸進的に、漸進的な放射状に、螺旋状に、拡散的にまたは集中的に加熱するように構成される。
【００４６】
チャンバーはチャンバー内の流体量の変化に応じてチャンバー内の流体を加熱することができ、例えば、ピストンの圧縮によってチャンバーの体積が減る第１ステップの間にはチャンバーの第１部分の流体を加熱し、ピストンが上死点にあるかチャンバーが最小体積を有する第２ステップの間にはチャンバーの第２部分の流体を加熱しても良い。
【００４７】
チャンバーの第１および／または第２部分が環状部分、半径方向部分、区画部、軸方向部分、螺旋状部分または中央部分であり、第１部分が第２部分を含んでも良い。
【００４８】
チャンバーは凹面、具体的には中心部に向かって放射線を集中する凹面を有しても良い。また、チャンバーが凸面、具体的には放射線を分散させる凸面を有しても良い。また、チャンバーが放射線を反射する鏡のような反射面を有しても良い。可動式壁やチャンバー端部壁や側壁が凹面や凸面や反射面を有しても良い。反射面は入射する放射線に対して角度をなし、放射線が照らさない部分に向かって放射線を反射する。
【００４９】
可動式壁はチャンバーの縦軸線に対して軸方向や放射状や回転方向に非対称または対称形態を有しても良い。
【００５０】
チャンバーが（可動式端部壁および／またはチャンバー端部壁および／または側壁に）凹凸型や溝が形成された屈曲面を有しても良い。屈曲面の大きさやピッチが放射線波長に応じて構成され、屈曲面のピッチおよび／または大きさが放射線波長より大きいか、類似するか小さくても良い。
【００５１】
屈曲面の大きさおよび／またはピッチが放射線の直径および／または幅に応じて構成され、放射線の直径および／または幅より大きいか、類似するか、小さくても良い。
【００５２】
チャンバーの表面特性にあわせて放射線量を受けるようにチャンバーを構成することができ、例えば、隅や排気口付近のように汚染物が集中する第１部分には中間側壁のように汚染のより少ない第２部分より多い放射線量を受けるように構成する。
【００５３】
チャンバーの大きさはマイクロ範囲またはナノ範囲であっても良い。
【図面の簡単な説明】
【００５４】
【図１】本発明の第１実施形態による装置の概略図である。
【図２】図１の装置の一部分を示す図である。
【図３】図１の装置中のシリンダーの斜視図である。
【図４】図１の装置中のシリンダーの他の構成の斜視図である。
【図５】図１の装置中のシリンダーのまた他の構成の斜視図である。
【図６】図１の装置中のシリンダーのまた他の構成の斜視図である。
【図７】シリンダーの断面図である。
【図８】図７のシリンダーにおいてチャンバー内の放射線分布度を示す断面図である。
【図９】図７のシリンダーにおいてチャンバー内の放射線分布度を示す平面図である。
【図１０】チャンバー内の放射線分布度を示すグラフである。
【図１１】チャンバー内の放射線分布度を示すシリンダーの断面図である。
【図１２】チャンバー内の放射線分布度を示す他のシリンダーの断面図である。
【図１３】チャンバー内のピストンヘッドの表面を示すシリンダーの斜視図である。
【発明を実施するための形態】
【００５５】
図１は本発明による機械的エネルギーを供給する装置１０の概略図であり、この装置は機械的エネルギーを提供するモーター１１を含む。モーター１１は加熱する流体を入れておくチャンバー１７を有する。増幅誘導放出放射線源（図示せず）からチャンバー１７に放射線を放出する。
【００５６】
この装置１０は放射状に配列された５個のシリンダー１６ａ〜ｄ、これらのシリンダーに向かって流体を送る引込みファン１４、およびシリンダーの反対側に流体を送る排気ファン１８をさらに含む。
【００５７】
この装置は水素バーナー形態の燃焼器観２０を備えており、各々の入口２２，２４を通して水素と酸素（または空気）の供給を受ける。
【００５８】
水素は酸素と結合して吸気ファン１４に蒸気として供給される。図２に示すように、蒸気は一方向バルブを備えたシリンダー吸気口２６ａ〜ｅを通してシリンダー１６に供給され、シリンダーの適切な行程ステップにおいてシリンダー１６ａ〜ｅに蒸気が供給されるように各々の吸気口２６ａ〜ｅが配列される。すなわち、シリンダーピストンがシリンダーの下部に向かって動く時（例；吸気行程）に蒸気がシリンダーに供給される。
【００５９】
このような蒸気は一方向バルブを備えた各々のシリンダー排気口２８ａ〜ｅを通してシリンダー１６から排出され、このような排気口はピストンがシリンダーの上部に動く排気行程の間にのみ蒸気を排出できるように配列される。
【００６０】
排気ファン１８はシリンダー排気口２８ａ〜ｅから排気蒸気を引き寄せる。モーターハウジング３２内部のカウリング３０によって蒸気が吸気ファン１４に向かい、このような蒸気はシリンダーを通して再循環する。
【００６１】
図３は、図１の装置のシリンダーの第１構成例の斜視図である。ピストン３４は下死点にあり、蒸気は吸気口（図示せず）を通してシリンダー１６内に供給された。このピストン３４は矢印方向に圧縮行程を始め、図４のような上死点に接近すれば、レーザソース３６が作動してレーザ入口を通してシリンダーチャンバー内に放射線が発射される。レーザソース３６とレーザ入口はシリンダー１６に対して軸方向に位置する。
【００６２】
図４の位置において、シリンダー１６内部の蒸気は放射線によって加熱され、蒸気の温度とシリンダー圧力が上昇する。シリンダー１６の圧力上昇によりピストン３４が図５のような下死点に向かって動き、シリンダー１６からコネクティングロッドを介してクランク軸（図示せず）に機械的エネルギーが出力される。ピストンが図６の下死点に達すれば、図３〜５で説明したようにこれ以上の圧縮および動力サイクルが終わる前に排気行程と吸気行程が先に完了する。一方、モーターの場合、排気行程がなく、蒸気のような流体がシリンダー１６の内部で再圧縮および再加熱されて動力行程を引き起こすことができる。
【００６３】
図７は、本発明による他のシリンダー１１６の断面図である。このシリンダー１１６はシリンダーヘッド１４０とピストンヘッド１４２を有し、各々のヘッドは凹面１４４，１４６を有する。図８は、図７のシリンダーが上死点にある時のシリンダーチャンバー１１７内部の放射線分布度を示す。シリンダーチャンバー１１７内部の蒸気がシリンダー１１６の中心に向かって集まるように凹面１４４，１４６が構成される。よって、ピストン１３４が上死点に達すれば、放射線１５０が作動するシリンダー１１６部分に蒸気が集まるようになる。シリンダー１１６の側壁１４８も凹面であるため、放射線はシリンダーチャンバー１１７の中心部に向かい、特にこのような凹面１４４，１４６，１４８のために半径方向と軸方向の両側で中心に向かう。
【００６４】
図９は図７のシリンダー１１６の平面図であり、シリンダーチャンバー１１７内部の放射線分布度を示す。放射線１５０がシリンダーチャンバー１１７の中心１５２に向かって集中するのは凹面１４４，１４６，１４８での反射のためである。図１０は、中心１５２からの距離に応じてシリンダーチャンバー１１７での放射線分布度を示すグラフである。放射線１５０はシリンダーチャンバー１１７内の蒸気の分布に比例する経路に沿うことが分かる。
【００６５】
図１１は本発明による他のシリンダー２１６の断面図であり、シリンダーチャンバー２１７での放射線の分布を示す。シリンダーヘッド２４０は凹面２４４を有し、ピストンヘッド２４２は凸面２４６を有する。シリンダー２１６の円筒形側壁２４８も他の凹面を構成する。放射線２５０がシリンダーチャンバー２１７の中心２５２でない円周部２５４に向かうようにシリンダーチャンバーを構成する。よって、放射線２５０はシリンダーチャンバー２１７内の蒸気の分布度に比例する経路に沿う。
【００６６】
図１２は本発明による他のシリンダー３１６の断面図であり、シリンダーチャンバー３１７内での放射線３５０の分布度を示す。シリンダーヘッド３４０とピストンヘッド３４２はいずれも屈曲面３４４，３４６を有する。屈曲面３４４，３４６は放射線３５０の波長に合うように構成され、放射線がチャンバー３１７の内部で均一に分散するようにするピッチを屈曲面が有する。図１３はピストンヘッド４４２の屈曲面４４６の一例を示し、ピストンヘッド４４２の屈曲面４４６を螺旋状に精密加工する。シリンダーヘッドの周辺にレーザソース４３６が設けられる。
【００６７】
このようなシステムは可燃性流体を連続供給して動作できることは勿論、加熱性流体の閉回路として動作することもできる。例えば、モーター内部の圧力が所望の臨界値に達するまでに初期燃焼過程で燃焼性流体を再循環することができ、この段階でモーターにこれ以上の流体を供給する必要もない。
【００６８】
一方、モーターはレーザソースを時々使ってシリンダーを管理することもできる。例えば、モーターを停止させ、シリンダーチャンバーを清掃する時にレーザソースを作動させることができる。放射線をシリンダーチャンバーの内部に発射してシリンダーチャンバー表面を清掃することができる。モーターが停止した時や周期的にレーザソースが作動するようにモーターを構成することもできる。
【図１】
2015518545.tif 000003
【図２】
2015518545.tif 000004
【図３】
2015518545.tif 000005
【図４】
2015518545.tif 000006
【図５】
2015518545.tif 000007
【図６】
2015518545.tif 000008
【図７】
2015518545.tif 000009
【図８】
2015518545.tif 000010
【図９】
2015518545.tif 000011
【図１０】
2015518545.tif 000012
【図１１】
2015518545.tif 000013
【図１２】
2015518545.tif 000014
【図１３】
2015518545.tif 000015
【国際調査報告】
2015518545.tif 000016
2015518545.tif 000017
2015518545.tif 000018
2015518545.tif 000019
2015518545.tif 000020